(57)【特許請求の範囲】
【請求項１】
ネットワークに接続された基地局と無線通信する移動無線端末装置において、
充電器の接続を検出する充電器接続検出手段と、
前記充電器から与えられる電力をバッテリに供給して所定の電圧レベルまで充電を行う充電手段と、
電源のＯＮ／ＯＦＦを判定する判定手段と、
前記充電手段によってバッテリが所定の閾値以上まで充電された後、前記判定手段が電源ＯＮと判定した場合には、予め設定した第１周期が経過する毎に前回バッテリの電圧レベルを検出した時から所定の時間が経過後であればバッテリの電圧レベルを検出し、一方、前記判定手段が電源ＯＦＦと判定した場合には、前記第１周期よりも長い予め設定した第２周期が経過する毎に前回バッテリの電圧レベルを検出した時から所定の時間が経過後であればバッテリの電圧レベルを検出する検出手段と、
前記検出手段が検出した電圧レベルが予め設定した閾値よりも低い場合に、前記充電手段によって充電を開始する充電開始手段とを具備することを特徴とする移動無線端末装置。
【請求項２】
前記検出手段は、
前記第１周期の経過を検出する第１周期検出手段と、
前記第２周期の経過を検出する第２周期検出手段と、
バッテリの電圧レベルを検出する電圧レベル検出手段とを備え、
さらに、前記電圧レベル検出手段が検出した電圧レベルが予め設定した閾値以上となり前記充電手段による充電を停止した後に、前記電圧レベル検出手段による検出を停止させ、一方、電源ＯＮの時には前記第１周期検出手段を継続させ、電源ＯＦＦの時には前記第２周期検出手段による検出を継続させる制御手段を備えることを特徴とする請求項１に記載の移動無線端末装置。
【請求項３】
前記第１周期検出手段は、前記電圧レベル検出手段による検出が停止した場合に、前記第１周期の経過の検出を開始することを特徴とする請求項２に記載の移動無線端末装置。
【請求項４】
前記第２周期検出手段は、前記充電器接続検出手段が充電器の接続を検出した場合に、前記第２周期の経過の検出を開始することを特徴とする請求項２に記載の移動無線端末装置。
【請求項５】
前記第２周期検出手段は、ハードウェアを用いたタイマにより前記第２周期の経過を検出し、
前記制御手段は、電源ＯＦＦの時に前記電圧レベル検出手段が検出した電圧レベルが予め設定した閾値以上の場合には、ソフトウェアを停止させることで前記電圧レベル検出手段による検出を停止させ、一方、前記ハードウェアを継続動作させることで前記第２周期検出手段による検出を継続させ、前記第２周期検出手段によって前記第２周期の経過が検出されたときに前記電圧レベル検出手段による検出を行うことを特徴とする請求項２に記載の移動無線端末装置。
【発明の詳細な説明】
【技術分野】
【０００１】
この発明は、例えば携帯電話機などの移動無線端末装置に関する。
【背景技術】
【０００２】
周知のように、携帯電話機などの移動無線端末装置は、消費電力を節約するために、着信待ち受け時のおいては、例えば５秒ごとに受信部の起動と停止を繰り返して着信の発生を監視する間欠受信を行っていた。またバッテリの充電状態についても、この間欠受信に同期して、充電状態のチェックを行い、必要に応じて充電を行っていた。なお、バッテリの充電制御に関しては様々な手法が考案されている（例えば、特許文献１参照）。
【０００３】
しかしながら、バッテリの自然放電は、間欠受信の期間程度ではほとんど生じないので、移動無線端末装置の電源が切られている場合には、充電状態をチェックする動作そのものがバッテリ電力の浪費につながっていた。また、このように短期間にバッテリの充電状態を監視することで、常に一定レベルの充電状態を保つことができる一方で、充電が比較的短い期間の間に頻繁に行われることになるため、充電の頻発によりバッテリに負荷を与え製品寿命に影響を与える虞があった。
【特許文献１】特開平１０−１６４７６４公報
【発明の開示】
【発明が解決しようとする課題】
【０００４】
従来の移動無線端末装置では、電源が投入されていない場合でも、充電器が接続されていれば、短期間の充電チェックが繰り返され、結果的に充電が比較的短い期間の間に頻繁に行われることになるため、充電の頻発によりバッテリに負荷を与え製品寿命に影響を与える虞があるという問題があった。
【０００５】
この発明は上記の問題を解決すべくなされたもので、電源が投入されていない場合の充電において、バッテリに負荷を与える負荷を軽減し、製品寿命に影響を軽減した移動無線端末装置を提供することを目的とする。
【課題を解決するための手段】
【０００６】
上記の目的を達成するために、この発明は、ネットワークに接続された基地局と無線通信する移動無線端末装置において、充電器の接続を検出する充電器接続検出手段と、充電器から与えられる電力をバッテリに供給して所定の電圧レベルまで充電を行う充電手段と、電源のＯＮ／ＯＦＦを判定する判定手段と、充電手段によってバッテリが所定の閾値以上まで充電された後、判定手段が電源ＯＮと判定した場合には、予め設定した第１周期が経過する毎に前回バッテリの電圧レベルを検出した時から所定の時間が経過後であればバッテリの電圧レベルを検出し、一方、判定手段が電源ＯＦＦと判定した場合には、第１周期よりも長い予め設定した第２周期が経過する毎に前回バッテリの電圧レベルを検出した時から所定の時間が経過後であればバッテリの電圧レベルを検出する検出手段と、検出手段が検出した電圧レベルが予め設定した閾値よりも低い場合に、充電手段によって充電を開始する充電開始手段とを具備して構成するようにした。
【発明の効果】
【０００７】
以上述べたように、この発明では、電源ＯＮの場合には、第１周期が経過する毎にバッテリの電圧レベルを検出し、一方、電源ＯＦＦの場合には、第１周期よりも長い第２周期が経過する毎にバッテリの電圧レベルを検出して、充電の必要性の判定と充電を行うようにしている。
【０００８】
したがって、この発明によれば、電源がＯＦＦの場合には、充電の必要性のチェックや充電を行うまでの時間を、電源がＯＮの場合よりも長く設定しているので、電源が投入されていない場合の充電において、バッテリに負荷を与える負荷を軽減し、製品寿命に影響を軽減することが可能な移動無線端末装置を提供できる。
【発明を実施するための最良の形態】
【０００９】
以下、図面を参照して、この発明の一実施形態について説明する。ここでは、この発明に係わる移動無線端末装置の一例として、携帯電話機を例に挙げて説明する。  
図１は、この発明の一実施形態に係わる移動無線端末装置の構成を示すブロック図である。この移動無線端末装置は、図１に示すように、主な構成要素として、アンテナ１と、無線通信部１０と、信号処理部２０と、通話部３０と、表示部４０およびそのインタフェース（Ｉ／Ｆ）４１と、入力デバイス５０およびそのインタフェース（Ｉ／Ｆ）５１と、記憶部６０と、充電器接続部７０と、電力制御部７１と、バッテリ８０と、供給部８１と、ハードウェアタイマ（ＨＷ）９０と、制御部１００とを備え、基地局装置ＢＳと無線通信し、移動通信網ＮＷを介して通信する機能を備える。
【００１０】
無線通信部１０は、制御部１００の指示にしたがって移動通信網ＮＷに収容された基地局装置ＢＳと無線通信を行うものであって、受信した無線信号をベースバンド信号にダウンコンバートして信号処理部２０に出力し、また信号処理部２０から出力される送信信号を無線周波の信号にアップコンバートしてアンテナ１より空間に放射する。
【００１１】
信号処理部２０は、無線通信部１０から入力されたベースバンドの受信信号から受信データを復調する。この復調によって得た受信データのうち、音声データについては、通話部３０に出力し、その他の受信データ（例えば、電子メールデータ（受信）、Ｗｅｂデータ、ストリーミングデータ、種々の制御データなど）については、制御部１００に出力する。
【００１２】
また信号処理部２０は、通話部３０から入力される音声データや、制御部１００から与えられる送信データ（例えば、電子メールデータ（送信）や種々の制御データなど）に基づいて送信信号を生成し、無線通信部１０に出力する。
【００１３】
通話部３０は、スピーカ３１やマイクロホン３２を備え、マイクロホン３２を通じて入力されたユーザの音声を符号化して音声データに変換して信号処理部２０に出力したり、通話相手などから受信した音声データを復号し、増幅後、スピーカ３１から出力するものである。
【００１４】
表示部４０は、LCD(Liquid Crystal Display)や有機EL(Electro Luminescence)などを用いた表示デバイスであって、画像（静止画像および動画像）や文字情報などを表示して、視覚的にユーザに情報を伝達するものである。また表示部４０は、インタフェース４１によって駆動制御される。インタフェース４１は、制御部１００から与えられる表示データに基づいて、表示部４０を駆動制御して、種々の情報を表示部４０に表示させる。
【００１５】
入力デバイス５０は、複数のキースイッチなどを備え、これを通じてユーザから指示（主電源のＯＮ／ＯＦＦも含む）を受け付けるものであって、受け付けた指示をインタフェース５１が上記指示に応じた指示データに変換し、制御部１００に出力する。これにより、制御部１００は、上位指示データを解析することでユーザからの要求を認識する。
【００１６】
記憶部６０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたストリーミングデータなどを記憶するものである。
【００１７】
充電器接続部７０は、例えばＡＣアダプタなどの充電用電力の供給源と接続するためのインタフェースであって、上記供給源との接続を検出し、これを制御部１００に通知したり、上記供給源から与えられる電力を電力制御部７１に出力する。
【００１８】
電力制御部７１は、充電器接続部７０を介して上記供給源から与えられる電力を、供給部８１に出力したり、あるいは制御部１００からの指示にしたがってバッテリ８０に供給して、バッテリ８０を充電する。
【００１９】
バッテリ８０は、例えばリチウムイオンやニッケル水素などを用いた二次電池で、電力制御部７１から供給される電力を蓄積し、この蓄積した電力を供給部８１に出力する。なお、バッテリ８０の出力電圧は、電力制御部７１によって逐次検出され、バッテリ８０が蓄積している電力が監視される。電力制御部７１によって検出された、バッテリ８０の蓄積している電力は、制御部１００に出力される。
【００２０】
供給部８１は、電力制御部７１から電力が供給される場合（充電器を接続している場合）には、この電力を制御部１００から指示にしたがって当該移動無線端末装置の各部に供給し、また電力制御部７１から電力が供給されない場合（充電器を接続していない場合）には、制御部１００からの指示に応じてバッテリ８０の電力を当該移動無線端末装置の各部に供給する。このような制御部１００からの供給制御により、バッテリセービングが為される。なお、後述するハードウェア（ＨＷ）タイマ９０に対しては、制御部１００からの制御とは無関係に、常に電力を供給する。
【００２１】
制御部１００は、CPU(Central Processing Unit)などのマイクロプロセッサを備え、記憶部６０が記憶する制御プログラムや制御データにしたがって動作するＯＳ（Operating System）を備え、これにより当該移動無線端末装置の各部を統括して制御し、音声通信やデータ通信を実現するものである。また制御部１００は、記憶部５０が記憶するアプリケーションソフトウェアにしたがって動作し、電子メールの送受信や、Ｗｅｂブラウジング、ダウンロードしたストリーミングデータに基づいて動画像を表示部４０に表示する通信制御機能を備える。
【００２２】
また制御部１００は、着信待ち受け時にあっては、無線通信部１０および供給部８１を制御して、着信信号が送信される予め設定されたタイミングだけ無線通信部１０を起動して着信を待ち受けるようにして、無線通信部１０に間欠受信を行わせることでバッテリセービングを実現する。
【００２３】
さらに制御部１００は、当該移動無線端末装置が充電器に接続される場合には、主電源がＯＮかＯＦＦかに応じて、異なる充電制御を行う。このような充電制御を行うために、通常タイマ１１１、ＨＷ（ハードウェア）タイマ制御手段１１２、イベント検出手段１１３、充電アプリケーション手段１１４、バッテリ監視制御手段１１５とを備える。これらの手段の詳細な動作については、後述する。
【００２４】
次に、上記構成の移動無線端末装置の動作について説明する。以下の説明では特に、この発明に係わる充電制御について説明する。  
まず図２および図３を参照して、主電源がＯＮの状態で、当該移動無線端末装置が充電器に接続された場合の動作について説明する。
【００２５】
移動無線端末装置が充電器に接続されると、これを充電器接続部７０が検出し、充電器に接続された旨を制御部１００に通知する（シーケンスＳ２０１）。これにより低消費電力動作中のＣＰＵが通常の動作に移行する。なお、低消費電力動作とは、制御部１００が動作を停止している状態である。また通常の動作とは、制御部１００が動作している状態である。
【００２６】
また通常の動作に移行したＣＰＵは、イベント検出手段１１３により、充電器の接続や電源ＯＮのイベントの発生を監視する処理を開始するとともに、充電アプリケーション手段１１４を起動する。この状態で、充電器接続部７０は、イベント検出手段１１３に対して、充電器に接続された旨を通知する（シーケンスＳ２０２）。これに対してイベント検出手段１１３は、「充電器に接続」というイベントの発生を検出し、これに伴い、充電アプリケーション手段１１４に対して、充電器に接続された旨を通知する（シーケンスＳ２０３）。
【００２７】
これに対して充電アプリケーション手段１１４は、充電中であることを示すＬＥＤランプなどを点灯させ、バッテリ監視制御手段１１５に対して、充電の開始を指示する（シーケンスＳ２０４）。これを受けたバッテリ監視制御手段１１５は、電力制御部７１によってバッテリ８０の出力電圧レベルを測定し、所定の閾値以下であれば、バッテリ監視制御手段１１５は、ＯＳ１１０に対して、上記低消費電力動作の禁止要求を行う（シーケンスＳ２０５）。この禁止要求を受けたＯＳ１１０は、以後、制御部１００の稼働率低下などをきっかけに実行される低消費電力動作を、新たに解除要求が与えられるまで行わない。すなわち、制御部１００の稼働率が低下しても低消費電力動作は行わない。
【００２８】
またバッテリ監視制御部１１５は、バッテリ８０の出力電圧レベルが所定の閾値以下であるため、電力制御部７１を制御してバッテリ８０に電力を供給して充電を開始する（シーケンスＳ２０６）。
【００２９】
さらにバッテリ監視制御手段１１５は、通常タイマ１１１を起動して、現在時刻から予め設定された時間ｔ１だけ未来の時刻を設定する（シーケンスＳ２０７）。ｔ１として設定される時刻は、例えば現在より１０秒後の時刻である。これにより通常タイマ１１１は、現在時刻を監視して、シーケンスＳ２０７によって設定された未来の時刻が到来するのを監視する。
【００３０】
やがて、通常タイマ１１１は、現在時刻が上記設定された未来の時刻となった、あるいはそれよりも経過したことを検出すると、タイマ満了時刻が到来した旨をバッテリ監視制御手段１１５に通知して、監視を終了する（シーケンスＳ２０８）。
【００３１】
これに対してバッテリ監視制御手段１１５は、通常タイマ満了時刻の到来の検出をきっかけに、電力制御部７１によってバッテリ８０の出力電圧レベルを測定する（シーケンスＳ２０９）。ここで、バッテリ８０の出力電圧レベルが予め設定した充電閾値以上であることを検出すると（シーケンスＳ２１０）、バッテリ監視制御手段１１５は、充電アプリケーション手段１１４に対して、充電が完了している旨を通知する（シーケンスＳ２１１）。なお、バッテリ８０の出力電圧レベルが上記充電閾値未満の場合については、後述するシーケンスＳ３０３以降の処理と同様の処理がなされて充電が開始される。
【００３２】
そしてバッテリ監視制御手段１１５は、シーケンスＳ２０７と同様にして、通常タイマ１１１を起動して、現在時刻から予め設定された時間ｔ１だけ未来の時刻を設定する（シーケンスＳ２１２）。これにより通常タイマ１１１は、現在時刻の監視を開始し、シーケンスＳ２１２によって設定された未来の時刻が到来するのを監視する。
【００３３】
またバッテリ監視制御手段１１５は、ＯＳ１１０に対して、シーケンスＳ２０６の禁止要求により禁止された低消費電力動作を解除する解除要求を行う（シーケンスＳ２１３）。この解除要求を受けたＯＳ１１０は、シーケンスＳ２０６以後、行わないようにしていた低消費電力動作を、所定の条件（例えば、制御部１００の稼働率低下など）を満たした場合に実行するようにする。
【００３４】
このため、やがて充電制御すら生じず、制御部１００の稼働率が低下すると、これを検出したＯＳ１１０は、低消費電力動作を開始し（シーケンスＳ２１４）、これにより、制御部１００の動作を停止した低消費電力状態となる。なお、低消費電力動作に移行しても、電源ＯＮの場合、制御部１００は、無線の処理を行うために所定の時間（ｎ秒）の経過後に通常の動作に復帰する。所定の時間（ｎ秒）は、例えば５秒である。
【００３５】
やがて、ｎ秒間の間、低消費電力動作を実行した、すなわち低消費電力動作を開始してからｎ秒が経過したことを制御部１００は検出すると、低消費電力動作を行っていた制御部１００は、図３に示すように、通常の動作に復帰する。これにより、制御部１００は、が再び動作する。そして、制御部１００が再び動作を開始するのに応動してＯＳ１１０が無線通信部１０および信号処理部２０を動作制御して、基地局装置ＢＳからの無線信号を受信し、着信信号の到来を監視する。
【００３６】
また、通常タイマ１１１により現在時刻の監視も再開される。すると、通常タイマ１１１は、現在時刻がシーケンスＳ２１２で設定された未来の時刻となった、あるいはそれよりも経過したことを検出するため、タイマ満了時刻が到来した旨をバッテリ監視制御手段１１５に通知して、監視を終了する（シーケンスＳ３０１）。
【００３７】
バッテリ監視制御手段１１５は、通常タイマ満了時刻の到来の検出をきっかけに、電力制御部７１によってバッテリ８０の出力電圧レベルを測定する（シーケンスＳ３０２）。ここで、バッテリ８０の出力電圧レベルが予め設定した充電閾値未満であることを検出すると（シーケンスＳ３０３）、バッテリ監視制御手段１１５は、充電アプリケーション手段１１４に対して、充電を行うように依頼する（シーケンスＳ３０４）。なお、バッテリ８０の出力電圧が上記充電閾値以上の場合については、前述したシーケンスＳ２１１のように、充電完了を充電アプリケーション手段１１４に通知する。
【００３８】
これに対して充電アプリケーション手段１１４は、充電中を示すＬＥＤランプなどを点灯させ、バッテリ監視制御手段１１５に対して充電の開始を許可する。これによりバッテリ監視制御手段１１５は、ＯＳ１１０に対して、上記低消費電力動作の禁止要求を行う（シーケンスＳ３０６）。この禁止要求を受けたＯＳ１１０は、以後、低消費電力動作を、新たに解除要求が与えられるまで行わない。
【００３９】
またバッテリ監視制御手段１１５は、電力制御部７１を制御してバッテリ８０に電力を供給し充電を開始する（シーケンスＳ３０７）。さらにバッテリ監視制御手段１１５は、通常タイマ１１１を起動して、現在時刻から予め設定された時間ｔ１だけ未来の時刻を設定する（シーケンスＳ３０８）。
【００４０】
これにより通常タイマ１１１は、現在時刻の監視を開始し、シーケンスＳ３０８によって設定された未来の時刻が到来するのを監視する。以後、シーケンスＳ２０８移行の動作を繰り返し実行する（シーケンスＳ３０９）。
【００４１】
次に、図４および図５を参照して、主電源がＯＦＦの状態で、当該移動無線端末装置が充電器に接続された場合の動作について説明する。  
主電源がＯＦＦの状態にある移動無線端末装置は、充電器接続部７０に充電器が接続されて電力が供給されると、電力制御部７１および供給部８１を介して制御部１００に電力が供給されて制御部１００が起動される（シーケンスＳ４０１）。
【００４２】
これにより制御部１００は、記憶部６０から制御プログラムや制御データを読み込み、ＯＳ１００を起動する（シーケンスＳ４０２）。なお、これまで主電源がＯＦＦの状態にあったため、この時点において、イベント検出手段１１３、充電アプリケーション手段１１４、バッテリ監視制御手段１１５は、それぞれ起動されていない。
【００４３】
起動されたＯＳ１１０は、イベント検出手段１１３を起動し（シーケンスＳ４０３）、バッテリ監視制御手段１１５を起動し（シーケンスＳ４０４）、充電アプリケーション手段１１４を起動する（シーケンスＳ４０５）。
【００４４】
これに対してイベント検出手段１１３は、充電器接続部７０に対して、充電器の接続状態について確認を行い（シーケンスＳ４０６）、充電器が接続状態にあることを検出する（シーケンスＳ４０７）。
【００４５】
これによりイベント検出手段１１３は、ＨＷタイマ制御手段１１２を起動してＨＷタイマ９０を始動するように指示し（シーケンスＳ４０８）、これに応動してＨＷタイマ制御手段１１２は、ＨＷタイマ９０を起動して、時間ｔ２（＞ｔ１）のカウントダウンを開始する。時間ｔ１は、充電完了を監視するために、例えば１０秒であったのに対して、時間ｔ２は、充電されたバッテリ８０が放電して所定の閾値以下の電圧レベルとなるのを検出するために用いるため、例えば１時間というように長い時間とする。
【００４６】
またイベント検出手段１１３は、「充電器に接続」というイベントの発生を検出したことより、充電アプリケーション手段１１４に対して、充電器に接続された旨を通知する（シーケンスＳ４０９）。
【００４７】
これに対して充電アプリケーション手段１１４は、バッテリ監視制御手段１１５に対して、充電の開始を指示する（シーケンスＳ４１０）。これを受けたバッテリ監視制御手段１１５は、ＯＳ１１０に対して、上記低消費電力動作の禁止要求を行う（シーケンスＳ４１１）。この禁止要求を受けたＯＳ１１０は、以後、制御部１００の稼働率低下などをきっかけに実行する低消費電力動作を、新たに解除要求が与えられるまで行わない。すなわち、制御部１００の稼働率が低下しても低消費電力動作は行わない。
【００４８】
またバッテリ監視制御手段１１５は、電力制御部７１を制御してバッテリ８０に電力を供給して充電を開始する（シーケンスＳ４１２）。
【００４９】
さらにバッテリ監視制御手段１１５は、通常タイマ１１１を起動して、現在時刻から予め設定された時間ｔ１だけ未来の時刻を設定する（シーケンスＳ４１３）。これにより通常タイマ１１１は、現在時刻を監視し、シーケンスＳ４１３によって設定された未来の時刻が到来するのを監視する。
【００５０】
やがて、通常タイマ１１１は、現在時刻が上記設定された未来の時刻となった、あるいはそれよりも経過したことを検出すると、タイマ満了時刻が到来した旨をバッテリ監視制御手段１１５に通知して、監視を終了する（シーケンスＳ４１４）。
【００５１】
これに対してバッテリ監視制御手段１１５は、通常タイマ満了時刻の到来をきっかけに、電力制御部７１によってバッテリ８０の出力電圧レベルを測定する（シーケンスＳ４１５）。ここで、バッテリ８０の出力電圧レベルが予め設定した充電閾値以上であることを検出すると（シーケンスＳ４１６）、バッテリ監視制御手段１１５は、充電アプリケーション手段１１４に対して、充電が完了している旨を通知する（シーケンスＳ４１７）。なお、バッテリ８０の出力電圧レベルが上記充電閾値未満の場合については、引き続き充電が行われる。
【００５２】
そしてバッテリ監視制御手段１１５は、シーケンスＳ４１３と同様にして、通常タイマ１１１を起動して、現在時刻から予め設定された時間ｔ１だけ未来の時刻を設定する（シーケンスＳ４１８）。これにより通常タイマ１１１は、現在時刻の監視を開始し、シーケンスＳ４１８によって設定された未来の時刻が到来するのを監視する。
【００５３】
またバッテリ監視制御手段１１５は、ＯＳ１１０に対して、シーケンスＳ４１２の禁止要求により禁止された低消費電力動作を解除する解除要求を行う（シーケンスＳ４１９）。この解除要求を受けたＯＳ１１０は、シーケンスＳ４１２以後、行わないようにしていた低消費電力動作を、所定の条件（例えば、制御部１００の稼働率低下など）を満たした場合に実行するようにする。
【００５４】
このため、やがて充電制御すら生じず、制御部１００の稼働率が低下すると、これを検出したＯＳ１１０は、低消費電力動作を開始する（シーケンスＳ４２０）。これにより、制御部１００は動作を停止する。なお、電源ＯＮの状態とは異なり、電源ＯＦＦでは無線の処理を行わないため、ｎ秒（例えば５秒）という短い時間では制御部１００は再度動作を開始しない。また、低消費電力動作に移行しても、供給部８１によりＨＷタイマ９０に電力は供給されるので、ＨＷタイマ９０によるカウントダウンは継続される。
【００５５】
やがて、シーケンスＳ４０８によるＨＷタイマ９０の起動から時間ｔ２が経過すると、ＨＷタイマ９０は、低消費電力動作していた制御部１００を起動する（シーケンスＳ５０１）。これにより制御部１００は、通常動作を再開する。
【００５６】
通常動作状態となった制御部１００では、イベント検出手段１１３がＨＷタイマ９０のタイムアウトをイベント発生として検出し（シーケンスＳ５０２）、シーケンスＳ４０８と同様にして、ＨＷタイマ制御手段１１２を起動してＨＷタイマ９０を始動するように指示する（シーケンスＳ５０３）。これに応動してＨＷタイマ制御手段１１２は、ＨＷタイマ９０を起動して、再び、時間ｔ２（＞ｔ１）のカウントダウンを開始する。
【００５７】
やがて、制御部１００が通常動作状態となったことより、シーケンスＳ４１８で設定された未来の時刻を経過したことが通常タイマ１１１によって検出される。これにより、通常タイマ１１１は、タイマ満了時刻が到来した旨をバッテリ監視制御手段１１５に通知して、監視を終了する（シーケンスＳ５０４）。
【００５８】
これに対してバッテリ監視制御手段１１５は、通常タイマ満了時刻の到来の検出をきっかけに、バッテリ８０の出力電圧レベルを測定する（シーケンスＳ５０５）。ここで、バッテリ８０の出力電圧レベルが予め設定した充電閾値未満であることを検出すると（シーケンスＳ５０６）、バッテリ監視制御手段１１５は、充電アプリケーション手段１１４に対して、充電を行うように依頼する（シーケンスＳ５０７）。なお、バッテリ８０の出力電圧が上記充電閾値以上の場合については、前述したシーケンスＳ４１７のように、充電完了を充電アプリケーション手段１１４に通知する。
【００５９】
これに対して充電アプリケーション手段１１４は、充電中を示すＬＥＤランプなどを点灯させ、バッテリ監視制御手段１１５に対して充電の開始を許可する。これによりバッテリ監視制御手段１１５は、ＯＳ１１０に対して、上記低消費電力動作の禁止要求を行う（シーケンスＳ５０９）。この禁止要求を受けたＯＳ１１０は、以後、低消費電力動作を、新たに解除要求が与えられるまで行わない。
【００６０】
またバッテリ監視制御手段１１５は、電力制御部７１を制御してバッテリ８０に電力を供給し充電を開始する（シーケンスＳ５１０）。さらにバッテリ監視制御手段１１５は、通常タイマ１１１を起動して、現在時刻から予め設定された時間ｔ１だけ未来の時刻を設定する（シーケンスＳ５１１）。
【００６１】
これにより通常タイマ１１１は、現在時刻の監視を開始し、シーケンスＳ５１１によって設定された未来の時刻が到来するのを監視する。以後、シーケンスＳ４１４移行の動作を繰り返し実行する（シーケンスＳ５１２）。
【００６２】
やがて、制御部１００が低消費電力動作を行っている際に、充電器接続部７０が当該移動無線端末装置と充電器との接続が解除されたことを検出すると、電力制御部７１および供給部８１を介して制御部１００に電力が供給されて制御部１００が起動される（シーケンスＳ５１３）。
【００６３】
また充電器接続部７０は、充電器接続の解除をイベント検出手段１１３に通知する。この通知を受けたイベント検出手段１１３は、イベント「充電器接続の解除」の発生を検出し、これによりＨＷタイマ制御手段１１２にＨＷタイマ９０を停止するように指示し（シーケンスＳ５１５）、これに応動してＨＷタイマ制御手段１１２は、ＨＷタイマ９０を停止する。
【００６４】
またイベント検出手段１１３は、イベント「充電器接続の解除」の発生を検出したことより、充電アプリケーション手段１１４に対して、充電器接続が解除された旨を通知する（シーケンスＳ５１６）。
【００６５】
これに対して充電アプリケーション手段１１４は、ＯＳ１１０に対して、主電源をＯＦＦにするように指示する（シーケンスＳ５１７）。これを受けたＯＳ１１０は、供給部８１を制御して、制御部１００への電力の供給を停止する要求を行う（シーケンスＳ５１８）。これにより供給部８１は、制御部１００への電力供給を停止し、主電源のＯＦＦ状態となる。
【００６６】
以上のように、上記構成の移動無線端末装置では、主電源がＯＮの場合に充電器が接続された際には、低消費電力動作開始から無線処理を行うための短い時間（ｎ）が経過するまで低消費電力動作を行い、その後、通常動作に復帰した時に通常タイマ１１１に設定された時間ｔ１が経過していればバッテリ８０の充電を必要に応じて行うようにし、一方、主電源がＯＦＦの場合に充電器が接続された際には、低消費電力動作開始からＨＷタイマ９０が時間ｔ２（ｎやｔ１より大きい）が経過するまでの間だけ、低消費電力動作を行い、その後、通常動作に復帰した時に通常タイマ１１１に設定された時間ｔ１が経過していればバッテリ８０の充電を必要に応じて行うようにしている。つまり、低消費電力動作のときに、主電源がＯＮの場合には、ｎが経過し、なおかつｔ１が経過するごとにバッテリ８０の充電確認を行うのに対して、主電源がＯＦＦの場合には、ｎよりも長いｔ２が経過し、なおかつｔ１が経過していればバッテリ８０の充電確認を行う。
【００６７】
したがって、上記構成の移動無線端末装置によれば、主電源がＯＦＦの場合には、充電の必要性のチェックや充電を行うまでの時間を、主電源がＯＮの場合よりも長く設定しているので、主電源が投入されていない場合の充電において、バッテリに負荷を与える負荷を軽減し、製品寿命に影響を軽減することができる。
【００６８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６９】
その一例として例えば、上記実施の形態では、主電源のＯＮ／ＯＦＦは無関係に、充電器接続部７０は充電器の接続を検出するものとして説明したが、低消費電力動作から通常の動作に移行した際に、制御部１００が充電器接続部７０を動作させてその検出結果を取得し、充電器の接続を判定するようにしてもよい。
【００７０】
また上記実施の形態では、主電源のＯＮ／ＯＦＦがいずれであっても、同じ閾値とバッテリ８０の電圧レベルを比較してで充電の必要性を判定するようにしたが、主電源のＯＮ／ＯＦＦに応じた閾値とバッテリ８０の電圧レベルを比較して、充電の必要性を判定するようにしてもよい。例えば、主電源がＯＮの場合の閾値は、ＯＦＦの場合の閾値よりも高く設定する。  
その他、この発明の要旨を逸脱しない範囲で種々の変形を施しても同様に実施可能であることはいうまでもない。
【図面の簡単な説明】
【００７１】
【図１】この発明に係わる移動無線端末装置の一実施の形態の構成を示す回路ブロック図。
【図２】図１に示した移動無線端末装置の動作を説明するシーケンス図。
【図３】図１に示した移動無線端末装置の動作を説明するシーケンス図。
【図４】図１に示した移動無線端末装置の動作を説明するシーケンス図。
【図５】図１に示した移動無線端末装置の動作を説明するシーケンス図。
【符号の説明】
【００７２】
１…アンテナ、１０…無線通信部、２０…信号処理部、３０…通話部、３１…スピーカ、３２…マイクロホン、４０…表示部、４１，５１…インタフェース（Ｉ／Ｆ）、５０…入力デバイス、６０…記憶部、７０…充電器接続部、７１…電力制御部、８０…バッテリ、８１…供給部、９０…ハードウェア（ＨＷ）タイマ、１００…制御部、１１１…通常タイマ、１１２…ハードウェア（ＨＷ）タイマ制御手段、１１３…イベント検出手段、１１４…充電アプリケーション手段、１１５…バッテリ監視制御手段、ＢＳ…基地局装置、ＮＷ…移動通信網。
【図１】
0005076917.tif 000002
【図２】
0005076917.tif 000003
【図３】
0005076917.tif 000004
【図４】
0005076917.tif 000005
【図５】
0005076917.tif 000006